(57)【要約】【課題】雄ねじ部と雌ねじ部とのねじ結合に緩みを生じ難くし、もって、コネクタの外れを生じ難くすることができる、コネクタセット、コネクタ、及びコネクタセットの使用方法を提供する。【解決手段】コネクタセットは、第１流路に設けられた第１接続部と第１押当り部と第１ねじ部とを有する第１コネクタと、第２流路に設けられた第２接続部と第２押当り部と第２ねじ部とを有する第２コネクタと、で構成されるとともに緩み防止部が設けられており、前記緩み防止部は、前記第１接続部と前記第２接続部との接続状態での前記第１押当り部と前記第２押当り部との押当り状態における前記第１ねじ部と前記第２ねじ部との締結状態において、前記第１ねじ部と前記第２ねじ部とが所定の軸線に沿う軸方向において互いに引張るように前記第１ねじ部及び前記第２ねじ部の少なくとも一方を付勢可能である。【選択図】図４
2020065657.tif 000002
【特許請求の範囲】
【請求項１】
第１流路に設けられた第１接続部と第１押当り部と第１ねじ部とを有する第１コネクタと、第２流路に設けられた第２接続部と第２押当り部と第２ねじ部とを有する第２コネクタと、で構成されるとともに緩み防止部が設けられたコネクタセットであって、
前記第１接続部と前記第２接続部とは、前記第１流路と前記第２流路とを接続するように互いに接続可能であり、
前記第１押当り部と前記第２押当り部とは、前記第１接続部と前記第２接続部との接続状態において、所定の軸線に沿う軸方向において互いに押当り可能であり、
前記第１ねじ部と前記第２ねじ部とは、前記接続状態における前記第１押当り部と前記第２押当り部との押当り状態において、前記軸方向において互いに締結可能であり、
前記緩み防止部は、前記接続状態での前記押当り状態における前記第１ねじ部と前記第２ねじ部との締結状態において、前記第１ねじ部と前記第２ねじ部とが前記軸方向において互いに引張るように前記第１ねじ部及び前記第２ねじ部の少なくとも一方を付勢可能である、
コネクタセット。
【請求項２】
前記第１コネクタ及び前記第２コネクタのいずれか一方は、オスルアーを備える内筒と、前記内筒との連結部及び雌ねじ部を備える外筒と、を有し、
前記第１コネクタが前記内筒及び前記外筒を有する場合に、前記第１接続部は前記オスルアーで構成され、前記第１押当り部は前記オスルアーの外周面で構成され、前記第１ねじ部は前記雌ねじ部で構成され、前記緩み防止部は、前記連結部と前記第１ねじ部との間において前記外筒に設けられた複数の開口によって区画された、前記所定の軸線に関する周方向に並ぶ複数の弾性片で構成されており、
前記第２コネクタが前記内筒及び前記外筒を有する場合に、前記第２接続部は前記オスルアーで構成され、前記第２押当り部は前記オスルアーの外周面で構成され、前記第２ねじ部は前記雌ねじ部で構成され、前記緩み防止部は、前記連結部と前記第２ねじ部との間において前記外筒に設けられた複数の開口によって区画された、前記所定の軸線に関する周方向に並ぶ複数の弾性片で構成されている、
請求項１に記載のコネクタセット。
【請求項３】
前記連結部は、前記内筒に対して回動可能に連結している、請求項２に記載のコネクタセット。
【請求項４】
前記連結部は、前記内筒に一体に連結している、請求項２に記載のコネクタセット。
【請求項５】
前記緩み防止部は、前記所定の軸線に関する周方向に並ぶ複数の弾性片で構成されており、
前記複数の弾性片は、互いに延在方向を揃えてそれぞれ一定の幅で延在する直線状、折れ線状、曲線状又は波状をなしており、
前記複数の弾性片が直線状をなす場合には、前記複数の弾性片の延在方向は、それぞれ、前記軸方向に対して前記周方向に傾斜している、
請求項１〜４のいずれか一項に記載のコネクタセット。
【請求項６】
前記複数の弾性片は、前記周方向に等間隔で並んでおり、且つ、互いに同一の幅を有する、請求項５に記載のコネクタセット。
【請求項７】
前記所定の軸線に沿う軸方向に延在するオスルアーを備える内筒と、
前記内筒との連結部、及び前記所定の軸線を中心とする雌ねじ部を備える外筒と、を有し、
前記外筒は、前記連結部と前記雌ねじ部との間において複数の開口によって区画された、前記所定の軸線に関する周方向に並ぶ複数の弾性片で構成された緩み防止部を有する、
コネクタ。
【請求項８】
前記連結部は、前記内筒に対して回動可能に連結している、請求項７に記載のコネクタ。
【請求項９】
前記連結部は、前記内筒に一体に連結している、請求項７に記載のコネクタ。
【請求項１０】
前記複数の弾性片は、互いに延在方向を揃えてそれぞれ一定の幅で延在する直線状、折れ線状、曲線状又は波状をなしており、
前記複数の弾性片が直線状をなす場合には、前記複数の弾性片の延在方向は、それぞれ、前記軸方向に対して前記周方向に傾斜している、
請求項７〜９のいずれか一項に記載のコネクタ。
【請求項１１】
前記複数の弾性片は、前記周方向に等間隔で並んでおり、且つ、互いに同一の幅を有する、請求項１０に記載のコネクタ。
【請求項１２】
第１流路に設けられた第１接続部と第１押当り部と第１ねじ部とを有する第１コネクタと、第２流路に設けられた第２接続部と第２押当り部と第２ねじ部とを有する第２コネクタと、で構成されるとともに緩み防止部が設けられたコネクタセットの使用方法であって、
前記第１流路と前記第２流路とを接続するように前記第１接続部と前記第２接続部とを互いに接続させる接続ステップと、
前記第１接続部と前記第２接続部との接続状態において、前記第１押当り部と前記第２押当り部とを所定の軸線に沿う軸方向において互いに押当てる押当てステップと、
前記接続状態での前記第１押当り部と前記第２押当り部との押当り状態において、前記第１ねじ部と前記第２ねじ部とが前記軸方向において互いに引張るように前記緩み防止部が前記第１ねじ部及び前記第２ねじ部の少なくとも一方を付勢した状態で、前記第１ねじ部と前記第２ねじ部とを前記軸方向において互いに締結させる、締結ステップと、を有する、
コネクタセットの使用方法。
【発明の詳細な説明】
【技術分野】
【０００１】
本開示は、コネクタセット、コネクタ、及びコネクタセットの使用方法に関する。
【背景技術】
【０００２】
従来から、薬液等の液体を医療用のチューブを通して体内へ送る輸液ラインにおいて複数のチューブを接続するために、互いに接続可能な２つのコネクタで構成されるコネクタセットが用いられている。
【０００３】
このようなコネクタセットとしては、例えば、ルアーロック式のオスコネクタ及びメスコネクタで構成されるものが知られている（例えば特許文献１参照）。このようなルアーロック式のオスコネクタ及びメスコネクタを用いる場合には、オスコネクタのオスルアーをメスコネクタのメスルアーに挿入して、そのテーパ状の外周面をメスルアーの内周面に押当て嵌合させるとともに、オスコネクタに設けられたロック用の雌ねじ部をメスコネクタに設けられた雄ねじ部に締結することにより、オスルアーに連なる流路とメスルアーに連なる流路とが互いに接続されるとともにその接続状態が保持される。
【先行技術文献】
【特許文献】
【０００４】
【特許文献１】特開２００２−３５１４０号公報
【発明の概要】
【発明が解決しようとする課題】
【０００５】
このように接続状態を保持するための雄ねじ部と雌ねじ部とを備えるコネクタセットであっても、衝撃等の外力が付加された場合や、嵌合部の経時的な変形が生じた場合などにおいては、雄ねじ部と雌ねじ部とのねじ結合に緩みが生じて、意図せずにコネクタが外れる虞がある。
【０００６】
本開示は、このような点に鑑み、雄ねじ部と雌ねじ部とのねじ結合に緩みを生じ難くし、もって、コネクタの外れを生じ難くすることができる、コネクタセット、コネクタ、及びコネクタセットの使用方法を提供することを目的とする。
【課題を解決するための手段】
【０００７】
本発明の一態様としてのコネクタセットは、
第１流路に設けられた第１接続部と第１押当り部と第１ねじ部とを有する第１コネクタと、第２流路に設けられた第２接続部と第２押当り部と第２ねじ部とを有する第２コネクタと、で構成されるとともに緩み防止部が設けられたコネクタセットであって、
前記第１接続部と前記第２接続部とは、前記第１流路と前記第２流路とを接続するように互いに接続可能であり、
前記第１押当り部と前記第２押当り部とは、前記第１接続部と前記第２接続部との接続状態において、所定の軸線に沿う軸方向において互いに押当り可能であり、
前記第１ねじ部と前記第２ねじ部とは、前記接続状態における前記第１押当り部と前記第２押当り部との押当り状態において、前記軸方向において互いに締結可能であり、
前記緩み防止部は、前記接続状態での前記押当り状態における前記第１ねじ部と前記第２ねじ部との締結状態において、前記第１ねじ部と前記第２ねじ部とが前記軸方向において互いに引張るように前記第１ねじ部及び前記第２ねじ部の少なくとも一方を付勢可能である。
【０００８】
本発明の１つの実施形態として、
前記第１コネクタ及び前記第２コネクタのいずれか一方は、オスルアーを備える内筒と、前記内筒との連結部及び雌ねじ部を備える外筒と、を有し、
前記第１コネクタが前記内筒及び前記外筒を有する場合に、前記第１接続部は前記オスルアーで構成され、前記第１押当り部は前記オスルアーの外周面で構成され、前記第１ねじ部は前記雌ねじ部で構成され、前記緩み防止部は、前記連結部と前記第１ねじ部との間において前記外筒に設けられた複数の開口によって区画された、前記所定の軸線に関する周方向に並ぶ複数の弾性片で構成されており、
前記第２コネクタが前記内筒及び前記外筒を有する場合に、前記第２接続部は前記オスルアーで構成され、前記第２押当り部は前記オスルアーの外周面で構成され、前記第２ねじ部は前記雌ねじ部で構成され、前記緩み防止部は、前記連結部と前記第２ねじ部との間において前記外筒に設けられた複数の開口によって区画された、前記所定の軸線に関する周方向に並ぶ複数の弾性片で構成されている。
【０００９】
本発明の１つの実施形態として、
前記連結部は、前記内筒に対して回動可能に連結している。
【００１０】
本発明の１つの実施形態として、
前記連結部は、前記内筒に一体に連結している。
【００１１】
本発明の１つの実施形態として、
前記緩み防止部は、前記所定の軸線に関する周方向に並ぶ複数の弾性片で構成されており、
前記複数の弾性片は、互いに延在方向を揃えてそれぞれ一定の幅で延在する直線状、折れ線状、曲線状又は波状をなしており、
前記複数の弾性片が直線状をなす場合には、前記複数の弾性片の延在方向は、それぞれ、前記軸方向に対して前記周方向に傾斜している。
【００１２】
本発明の１つの実施形態として、
前記複数の弾性片は、前記周方向に等間隔で並んでおり、且つ、互いに同一の幅を有する。
【００１３】
本発明の１つの実施形態として、
前記複数の弾性片は、前記周方向に整列した開口によって区画されている。
【００１４】
本発明の一態様としてのコネクタは、
前記所定の軸線に沿う軸方向に延在するオスルアーを備える内筒と、
前記内筒との連結部、及び前記所定の軸線を中心とする雌ねじ部を備える外筒と、を有し、
前記外筒は、前記連結部と前記雌ねじ部との間において複数の開口によって区画された、前記所定の軸線に関する周方向に並ぶ複数の弾性片で構成された緩み防止部を有する。
【００１５】
本発明の１つの実施形態として、
前記連結部は、前記内筒に対して回動可能に連結している。
【００１６】
本発明の１つの実施形態として、
前記連結部は、前記内筒に一体に連結している。
【００１７】
本発明の１つの実施形態として、
前記複数の弾性片は、互いに延在方向を揃えてそれぞれ一定の幅で延在する直線状、折れ線状、曲線状又は波状をなしており、
前記複数の弾性片が直線状をなす場合には、前記複数の弾性片の延在方向は、それぞれ、前記軸方向に対して前記周方向に傾斜している。
【００１８】
本発明の１つの実施形態として、
前記複数の弾性片は、前記周方向に等間隔で並んでおり、且つ、互いに同一の幅を有する。
【００１９】
本発明の１つの実施形態として、
前記複数の弾性片は、前記周方向に整列した開口によって区画されている。
【００２０】
本発明の一態様としてのコネクタセットの使用方法は、
第１流路に設けられた第１接続部と第１押当り部と第１ねじ部とを有する第１コネクタと、第２流路に設けられた第２接続部と第２押当り部と第２ねじ部とを有する第２コネクタと、で構成されるとともに緩み防止部が設けられたコネクタセットの使用方法であって、
前記第１流路と前記第２流路とを接続するように前記第１接続部と前記第２接続部とを互いに接続させる接続ステップと、
前記第１接続部と前記第２接続部との接続状態において、前記第１押当り部と前記第２押当り部とを所定の軸線に沿う軸方向において互いに押当てる押当てステップと、
前記接続状態での前記第１押当り部と前記第２押当り部との押当り状態において、前記第１ねじ部と前記第２ねじ部とが前記軸方向において互いに引張るように前記緩み防止部が前記第１ねじ部及び前記第２ねじ部の少なくとも一方を付勢した状態で、前記第１ねじ部と前記第２ねじ部とを前記軸方向において互いに締結させる、締結ステップと、を有する。
【発明の効果】
【００２１】
本開示によれば、雄ねじ部と雌ねじ部とのねじ結合に緩みを生じ難くし、もって、コネクタの外れを生じ難くすることができる、コネクタセット、コネクタ、及びコネクタセットの使用方法を提供することができる。
【図面の簡単な説明】
【００２２】
【図１】本発明の一実施形態に係るコネクタセットを輸液ラインに設けた状態で示す側面図である。
【図２】図１に示すコネクタセットの側面図である。
【図３】図１に示すコネクタセットの断面図である。
【図４】図１に示すコネクタセットを接続状態で示す断面図である。
【図５】図４に示す状態からオスルアーとメスルアーとの嵌合部に経時的変形が生じた場合のコネクタセットの動作を説明するための断面図である。
【図６】図１に示す第１コネクタの第１変形例を示す側面図である。
【図７】図１に示す第１コネクタの第２変形例を示す側面図である。
【図８】図１に示す第１コネクタの第３変形例を示す側面図である。
【図９】図１に示す第１コネクタの第４変形例を示す側面図である。
【図１０】図１に示す第１コネクタの第５変形例を示す側面図である。
【図１１】図１に示す第１コネクタの第６変形例を示す側面図である。
【図１２】図１１に示す第１コネクタの断面図である。
【図１３】本発明の一実施形態に係るコネクタセットの使用方法を示すフローチャートである。
【発明を実施するための形態】
【００２３】
以下、図面を参照して、本発明の一実施形態に係るコネクタセット、コネクタ、及びコネクタセットの使用方法について詳細に例示説明する。
【００２４】
まず、本発明の一実施形態に係るコネクタセット及びコネクタについて、詳細に例示説明する。
【００２５】
図１に示すように、本実施形態に係るコネクタセット１は、第１コネクタ１０と第２コネクタ２０とで構成されるとともに、緩み防止部３０が設けられている。本実施形態では、緩み防止部３０は、第１コネクタ１０（すなわち、本実施形態に係るコネクタ）に設けられている。
【００２６】
図２、図３に示すように、第１コネクタ１０は、第１流路１１に設けられた第１接続部１２と第１押当り部１３と第１ねじ部１４とを有している。第２コネクタ２０は、第２流路２１に設けられた第２接続部２２と第２押当り部２３と第２ねじ部２４とを有している。
【００２７】
本実施形態では、第１流路１１及び第２流路２１は、図１に示すように、輸液ライン２における流路として構成されている。すなわち、コネクタセット１は、輸液ライン２に設けられている。しかし、コネクタセット１は、輸液ライン２に設けられるものに限らず、例えば、シリンジの注出口、血液透析時あるいは心臓外科手術時に使用される体外循環用の血液回路に設けられてもよい。コネクタセット１がシリンジの注出口に設けられる場合、第１流路１１及び第２流路２１は、シリンジにおける流路として構成される。また、コネクタセット１が血液回路に設けられる場合、第１流路１１及び第２流路２１は、血液回路における流路として構成される。
【００２８】
図１に示す輸液ライン２は、薬液等の液体を収容する輸液バッグ３、輸液バッグ３に輸液バッグ用コネクタ４を介して接続される医療用のチューブ５、チューブ５の遠位端に設けられた第１コネクタ１０、第２コネクタ２０の遠位端に設けられた医療用の他のチューブ６を有している。このように、第１流路１１は、輸液バッグ用コネクタ４内の流路と、チューブ５内の流路と、第１コネクタ１０内の流路と、で構成され、第２流路２１は、第２コネクタ２０内の流路と、他のチューブ６内の流路と、で構成されている。なお、符号７は、輸液ライン２からの液体を投与するときに流路を開放する固定式のクレンメを示している。
【００２９】
本実施形態では、このような第１流路１１と第２流路２１とを接続するとともにその接続状態を保持するために、コネクタセット１が用いられる。図３、図４に示すように、第１接続部１２と第２接続部２２とは、第１流路１１と第２流路２１とを接続するように互いに接続可能である。第１押当り部１３と第２押当り部２３とは、第１接続部１２と第２接続部２２との接続状態において、所定の軸線Ｏに沿う軸方向（以下、単に「軸方向」ともいう）において互いに押当り可能である。第１ねじ部１４と第２ねじ部２４とは、第１接続部１２と第２接続部２２との接続状態における第１押当り部１３と第２押当り部２３との押当り状態において、軸方向において互いに締結可能である。図４において、第１接続部１２と第２接続部２２とは接続状態となっており、第１押当り部１３と第２押当り部２３とは押当り状態となっており、第１ねじ部１４と第２ねじ部２４とは締結状態となっている。
【００３０】
本実施形態では、第１コネクタ１０は、オスルアー１５を備える内筒１６と、内筒１６との連結部１７ａ及び雌ねじ部１７ｂを備える外筒１７と、を有している。また、第２コネクタ２０は、雄ねじ部２５ａを備えるメスルアー２５を有している。第１接続部１２はオスルアー１５で構成され、第１押当り部１３はオスルアー１５の外周面で構成され、第１ねじ部１４は雌ねじ部１７ｂで構成されている。第２接続部２２はメスルアー２５で構成され、第２押当り部２３はメスルアー２５の内周面で構成され、第２ねじ部２４は雄ねじ部２５ａで構成されている。
【００３１】
外筒１７の連結部１７ａは、本実施形態では、内筒１６に対して回動可能に連結している。より具体的に、連結部１７ａは、テーパ面を介して内筒１６の先端側への抜け止め可能に内筒１６の外周面と係合している。
【００３２】
図４に示すように、緩み防止部３０は、第１接続部１２と第２接続部２２との接続状態での第１押当り部１３と第２押当り部２３との押当り状態における第１ねじ部１４と第２ねじ部２４との締結状態において、第１ねじ部１４と第２ねじ部２４とが軸方向において互いに引張るように第１ねじ部１４及び第２ねじ部２４の少なくとも一方（本実施形態では第１ねじ部１４）を付勢可能である。より具体的に、緩み防止部３０は、図２、図３に示すように、連結部１７ａと第１ねじ部１４との間において外筒１７に設けられた複数の開口３１によって区画された、軸線Ｏに関する周方向（以下、単に「周方向」ともいう）に並ぶ複数の弾性片３２で構成されている。
【００３３】
本実施形態では、複数の弾性片３２は、互いに延在方向を揃えてそれぞれ一定の幅で延在する直線状をなしている。複数の弾性片３２の延在方向は、それぞれ、軸方向に対して周方向に傾斜している。本実施形態では、複数の弾性片３２は、周方向に等間隔で並んでおり、且つ、互いに同一の幅を有している。本実施形態では、複数の弾性片３２は、周方向に整列した開口３１によって区画されている。
【００３４】
このような緩み防止部３０を有するコネクタセット１によれば、第１接続部１２と第２接続部２２とを互いに接続するとともに第１押当り部１３と第２押当り部２３とを互いに押当て、緩み防止部３０が弾性変形によって軸方向に適度に引き延ばされるまで第１ねじ部１４と第２ねじ部２４とを互いにねじ込んで、第１ねじ部１４と第２ねじ部２４とを互いに締結することができる。したがって、その締結状態において、緩み防止部３０の上記弾性変形からの復元力によって、第１ねじ部１４と第２ねじ部２４とが軸方向において互いに引張るように（すなわち、図４において左方向に）第１ねじ部１４を付勢することができる。このとき、緩み防止部３０は、複数の弾性片３２の延在方向がそれぞれ軸方向に対して周方向に傾斜しているので、各弾性片３２の曲げ変形を介して軸方向に容易に弾性変形することができる一方、破壊に対する強度は良好に確保することができる。このような効果を得るためには、複数の弾性片３２は、それぞれ、細長い形状（すなわち、延在方向の長さがそれに直交する幅より長い形状）を有することが好ましい。
【００３５】
図４に示すように緩み防止部３０の復元力によって第１ねじ部１４を左方向に付勢した状態で第１ねじ部１４と第２ねじ部２４とを互いに締結した場合には、衝撃等の外力による弾性変形又は塑性変形や、経時的な塑性変形などが、第１押当り部１３と第２押当り部２３との間に生じた場合においても、第１ねじ部１４と第２ねじ部２４とのねじ結合に緩みが生じることを抑制することができる。すなわち、上記のような変形により、図５に示すように、第１接続部１２（オスルアー１５）と第２接続部２２（メスルアー２５）とが互いに軸方向に接近する方向に変位したとしても、その変位により第１ねじ部１４と第２ねじ部２４との間に生じるはずの隙間Ｓは、緩み防止部３０の復元変形（図５における白抜き矢印の方向の変形）によって直ちに解消されることになる。つまり、このような隙間Ｓを生じずに、ねじの緩みの発生を抑制することができ、もって、コネクタの外れの発生を抑制することができる。
【００３６】
緩み防止部３０を構成する複数の弾性片３２は、図２に示すような直線状のものに限られない。複数の弾性片３２は、図６に示すように、互いに延在方向を揃えてそれぞれ一定の幅で延在する折れ線状をなしていてもよい。複数の弾性片３２は、図７に示すように、互いに延在方向を揃えてそれぞれ一定の幅で延在する曲線状をなしていてもよい。複数の弾性片３２は、図８に示すように、互いに延在方向を揃えてそれぞれ一定の幅で延在する波状をなしていてもよい。
【００３７】
緩み防止部３０を構成する複数の弾性片３２は、図２及び図６〜図８に示すような、周方向に等間隔で並んでおり、且つ、互いに同一の幅を有するものに限られず、例えば、図９に示すような、周方向に異なる間隔で並んでおり、且つ、互いに異なる幅を有するものであってもよい。
【００３８】
緩み防止部３０を構成する複数の弾性片３２は、図２及び図６〜図９に示すような、周方向に整列した開口３１によって区画されているものに限られず、例えば、図１０に示すような周方向にばらつきがある開口３１によって区画されているものであってもよい。
【００３９】
第１コネクタ１０は、本実施形態のように外筒１７の連結部１７ａが内筒１６に対して回動可能に連結した構成に限られない。第１コネクタ１０は、図１１、図１２に示すように、外筒１７の連結部１７ａが内筒１６に一体に連結した構成であってもよい。
【００４０】
本実施形態では、第１接続部１２がオスルアー１５で構成され、第２接続部２２がメスルアー２５で構成されている。しかし、本実施形態に係るコネクタセット１における第１接続部１２及び第２接続部２２は、このようなテーパ面を有するものに限られない。また、本実施形態では、第１押当り部１３が第１接続部１２（オスルアー１５）の外周面で構成され、第２押当り部２３が第２接続部２２（メスルアー２５）の内周面で構成されている。しかし、本実施形態に係るコネクタセット１における第１押当り部１３及び第２押当り部２３は、このような構成に限られず、第１押当り部１３が第１接続部１２と別に設けられてもよいし、第２押当り部２３が第２接続部２２と別に設けられてもよい。
【００４１】
本実施形態では、第１接続部１２は、その内部の流路を閉塞する弁体を有さない開放式の接続部として構成されているが、第１接続部１２は、このような弁体を有する閉鎖式の接続部として構成されてもよい。第２接続部２２は、その内部の流路を閉塞する弁体を有さない開放式の接続部として構成されているが、第２接続部２２は、このような弁体を有する閉鎖式の接続部として構成されてもよい。
【００４２】
本実施形態では、緩み防止部３０が第１コネクタ１０に設けられている。しかし、本実施形態に係るコネクタセット１は、緩み防止部３０が第２コネクタ２０に設けられていてもよい。この場合、緩み防止部３０は、第１接続部１２と第２接続部２２との接続状態での第１押当り部１３と第２押当り部２３との押当り状態における第１ねじ部１４と第２ねじ部２４との締結状態において、第１ねじ部１４と第２ねじ部２４とが軸方向において互いに引張るように第２ねじ部２４を付勢可能に設けられる。この場合、緩み防止部３０は、第２コネクタ２０に設けられた複数の開口によって区画された、周方向に並ぶ複数の弾性片で構成することができる。例えば、緩み防止部３０は、第２コネクタ２０のメスルアー２５に設けられた複数の開口によって区画された、周方向に並ぶ複数の弾性片で構成することができる。
【００４３】
また、本実施形態に係るコネクタセット１は、緩み防止部３０が第１コネクタ１０及び第２コネクタ２０の両方に設けられた構成であってもよい。この場合、緩み防止部３０は、第１接続部１２と第２接続部２２との接続状態での第１押当り部１３と第２押当り部２３との押当り状態における第１ねじ部１４と第２ねじ部２４との締結状態において、第１ねじ部１４と第２ねじ部２４とが軸方向において互いに引張るように第１ねじ部１４及び第２ねじ部２４の両方を付勢可能に設けられる。この場合、緩み防止部３０は、第１コネクタ１０に設けられた複数の開口３１によって区画された、周方向に並ぶ複数の弾性片３２と、第２コネクタ２０に設けられた複数の開口によって区画された、周方向に並ぶ複数の弾性片と、で構成することができる。
【００４４】
前述したように、本実施形態及びその種々の変形例に係るコネクタセット１は、第１接続部１２と第２接続部２２との接続状態での第１押当り部１３と第２押当り部２３との押当り状態における第１ねじ部１４と第２ねじ部２４との締結状態において、第１ねじ部１４と第２ねじ部２４とが軸方向において互いに引張るように第１ねじ部１４及び第２ねじ部２４の少なくとも一方を付勢可能な緩み防止部３０を有しているので、第１ねじ部１４と第２ねじ部２４とのねじ結合に緩みを生じ難くし、もって、コネクタの外れを生じ難くすることができる。
【００４５】
また、本実施形態及びその種々の変形例に係るコネクタである第１コネクタ１０は、オスルアー１５を備える内筒１６と、連結部１７ａ及び雌ねじ部１７ｂを備える外筒１７と、を有し、外筒１７が、連結部１７ａと雌ねじ部１７ｂとの間において複数の開口３１によって区画された、周方向に並ぶ複数の弾性片３２で構成された緩み防止部３０を有しているので、メスルアー２５と雄ねじ部２５ａとを備える第２コネクタ２０に対し、ねじ結合に緩みを生じ難くし、もって、コネクタの外れを生じ難くすることができる。
【００４６】
次に、本発明の一実施形態に係るコネクタセットの使用方法について、詳細に例示説明する。
【００４７】
本実施形態では、図１〜図５を用いて説明したコネクタセット１を用いる場合について説明する。しかし、本実施形態で用いるコネクタセット１には、前述した変更を含めた種々の変更が可能である。
【００４８】
本実施形態に係るコネクタセットの使用方法は、図１３に示すように、接続ステップＳ１と、押当てステップＳ２と、締結ステップＳ３と、を有している。
【００４９】
本実施形態では、まず、接続ステップＳ１が行われる。接続ステップＳ１は、図３に示すような、第１接続部１２と第２接続部２２とが離れた状態から、図４に示すように、第１流路１１と第２流路２１とを接続するように第１接続部１２と第２接続部２２とを互いに接続させるステップである。
【００５０】
本実施形態では、接続ステップＳ１の終了と同時に、押当てステップＳ２が行われる。押当てステップＳ２は、図４に示されるように、第１接続部１２と第２接続部２２との接続状態において、第１押当り部１３と第２押当り部２３とを軸方向において互いに押当てるステップである。
【００５１】
本実施形態では、押当てステップＳ２に次いで、締結ステップＳ３が行われる。締結ステップＳ３は、図４に示されるように、第１接続部１２と第２接続部２２との接続状態での第１押当り部１３と第２押当り部２３との押当り状態において、第１ねじ部１４と第２ねじ部２４とが軸方向において互いに引張るように緩み防止部３０が第１ねじ部１４及び第２ねじ部２４の少なくとも一方（本実施形態では第１ねじ部１４）を付勢した状態で、第１ねじ部１４と第２ねじ部２４とを軸方向において互いに締結させるステップである。
【００５２】
本実施形態に係るコネクタセットの使用方法によれば、第１ねじ部１４と第２ねじ部２４とが軸方向において互いに引張るように、緩み防止部３０による付勢力を与えた状態で締結ステップＳ３を行うようにしているので、第１ねじ部１４と第２ねじ部２４とのねじ結合に緩みを生じ難くし、もって、コネクタの外れを生じ難くすることができる。
【００５３】
前述した本実施形態は、本発明の実施形態の一例にすぎず、発明の要旨を逸脱しない範囲で種々変更可能であることはいうまでもない。
【符号の説明】
【００５４】
１  コネクタセット
２  輸液ライン
３  輸液バッグ
４  輸液バッグ用コネクタ
５  チューブ
６  他のチューブ
７  クレンメ
１０  第１コネクタ
１１  第１流路
１２  第１接続部
１３  第１押当り部
１４  第１ねじ部
１５  オスルアー
１６  内筒
１７  外筒
１７ａ  連結部
１７ｂ  雌ねじ部
２０  第２コネクタ
２１  第２流路
２２  第２接続部
２３  第２押当り部
２４  第２ねじ部
２５  メスルアー
２５ａ  雄ねじ部
３０  緩み防止部
３１  開口
３２  弾性片
Ｏ  軸線
Ｓ  隙間
【図１】
2020065657.tif 000003
【図２】
2020065657.tif 000004
【図３】
2020065657.tif 000005
【図４】
2020065657.tif 000006
【図５】
2020065657.tif 000007
【図６】
2020065657.tif 000008
【図７】
2020065657.tif 000009
【図８】
2020065657.tif 000010
【図９】
2020065657.tif 000011
【図１０】
2020065657.tif 000012
【図１１】
2020065657.tif 000013
【図１２】
2020065657.tif 000014
【図１３】
2020065657.tif 000015